(57)【要約】【課題】刷毛部分が吸着すべきペンキの含み残量をワンタッチで調節することができ、過剰のペンキを刷毛部分から扱き取る際に、バケットの上縁部と塗料容器の上縁部との隙間にペンキが侵入する恐れが無いペンキの扱き取り具を提供する。【解決手段】ペンキ容器５の上縁部５ａに沿って着脱自在に架着される架着部２と、上記架着部２から上記ペンキ容器５の内側下方に向けて延出された延出部４と、上記延出部４の先端に形成された水平扱き部３とから構成される。上記架着部２を上記ペンキ容器５の上縁部５ａに沿って架着した状態では、上記水平扱き部３は、収容すべきペンキの最上面Ｈと上記ペンキ容器５の上縁Ｕとの間の高さに位置する。【選択図】図１
0003174827.tif 000002
【実用新案登録請求の範囲】
【請求項１】
ペンキ容器（５）の上縁部（５ａ）に沿って着脱自在に架着される架着部（２）と、上記架着部（２）から上記ペンキ容器（５）の内側下方に向けて延出された延出部（４）と、上記延出部（４）の先端に形成された水平扱き部（３）とから構成され、上記架着部（２）を上記ペンキ容器（５）の上縁部（５ａ）に沿って架着した状態では、上記水平扱き部（３）は、収容すべきペンキの最上面（Ｈ）と上記ペンキ容器（５）の上縁（Ｕ）との間の高さに位置する、ことを特徴とするペンキの扱き取り具。
【請求項２】
請求項１に記載したペンキの扱き取り具において、
上記ペンキの扱き取り具（１）が合成樹脂材料により一体に成型され、上記架着部（２）は下向き溝状に形成され、その下向き溝状の空間（２ａ）内に前記ペンキ容器（５）の上縁部（５ａ）を嵌め込んで架着した、ことを特徴とするペンキの扱き取り具。
【請求項３】
請求項１又は請求項２に記載したペンキの扱き取り具において、
上記延出部（４）が上記架着部（２）の両端部から延出した両腕状延出部（４・４）で構成され、上記水平扱き部（３）が上記両腕状延出部（４・４）の先端部間に形成された、ことを特徴とするペンキの扱き取り具。
【請求項４】
請求項１又は請求項２に記載したペンキの扱き取り具において、
上記延出部（４）が上記架着部（２）の一端部から延出した片腕状延出部（４）で構成され、上記水平扱き部（３）が上記片腕状延出部（４）の先端部に形成された、ことを特徴とするペンキの扱き取り具。
【請求項５】
請求項１又は請求項２に記載したペンキの扱き取り具において、
上記延出部（４）が上記架着部（２）から一体に延出した板状延出部（４ａ）で構成され、上記水平扱き部（３）が上記板状延出部（４ａ）の先端部に形成された、ことを特徴とするペンキの扱き取り具。
【考案の詳細な説明】
【技術分野】
【０００１】  本考案は、液体塗料等（以下単に「ペンキ」という）を塗布するための刷毛（以下「ペンキ刷毛」という）に過剰に含んだペンキをペンキ刷毛の刷毛部分から扱くようにして取ったペンキをペンキ収容バケット等（以下「ペンキ容器」という）内に戻すためのペンキの扱き取り具に関する。
【背景技術】
【０００２】  ペンキの塗布作業においては、ペンキ刷毛の刷毛部分に十分のペンキを含ませて被塗布面（以下単に「塗面」という）に塗布するが、刷毛部分に過剰にペンキを含んだ状態で塗布すると、その刷毛部分からペンキが滴り落ちて塗面や塗面付近の足場等を汚す。そこで過剰のペンキを当該刷毛部分から扱き取り、適度の含み残量でペンキを塗布するのが望ましい。この種の手段として、例えば特許文献１に示すもの（以下「従来例」という）が知られている。この従来例は、バケット内に設置される塗料容器と一体にペンキを扱き取るための突起が形成されており、さらに詳細には、当該塗料容器の内面に複数の突条体を上下多段に形成し、それらの突条体にペンキ刷毛等を撫で付けて過剰のペンキを当該ペンキ刷毛等から扱き取るように意図したものである。
【特許文献１】実用新案登録第３１６５９６７号
【考案の開示】
【考案が解決しようとする課題】
【０００３】  上記従来例では、塗布ローラから過剰のペンキを取り去り、塗布ローラに付着するペンキの残量を適量に調節するのに適しているが、刷毛部分から過剰のペンキを扱き取るには適していない。その理由は複数の突条体に刷毛部分を撫で付けて扱いても、その突条体間に残留したペンキが当該刷毛部分に再吸着され、刷毛部分に付着するペンキの含み残量を適量に調節するのが容易ではない。つまり、塗布ローラとペンキ刷毛とでは、それらの構造体の相違からペンキの含み残量が異なるからであろうと思われる。【０００４】  また、塗布作業においては、あらかじめ塗布すべき色ペンキを塗料容器に入れておき、その塗料容器をバケット内に設置して塗装作業することになるが、前記従来例では、突条体に刷毛部分を撫で付けて過剰のペンキを当該刷毛部分から扱き取る際に、余剰のペンキの一部が塗料容器の上縁部に付着する恐れがあり、そのときバケットの上縁部と塗料容器の上縁部との隙間にそのペンキが侵入し易く、それが乾燥するとバケットから塗料容器を離脱させるのに支障を来たし、あらかじめ色ペンキを入れた別の塗料容器との交換が困難になる。【０００５】  本考案は上記のような難点を解消するためになされたもので、刷毛部分が吸着すべきペンキの含み残量をワンタッチで調節することができ、かつ、過剰のペンキを刷毛部分から扱き取る際に、バケットの上縁部と塗料容器の上縁部との隙間にペンキが侵入する恐れがなく、ひいては、バケットから塗料容器を離脱させるのに支障の無いペンキの扱き取り具を提供することをその目的とする。なお、以下の記載で「ペンキ容器」というときは、バケット単体のみならず、バケット内に塗料容器を設置した場合をも含む。
【課題を解決するための手段】
【０００６】  本考案は前記課題を解決するものとして以下のように構成される。
即ち、本考案は、ペンキ容器５の上縁部５ａに沿って着脱自在に架着される架着部２と、上記架着部２から上記ペンキ容器５の内側下方に向けて延出された延出部４と、上記延出部４の先端に形成された水平扱き部３とから構成され、上記架着部２を上記ペンキ容器５の上縁部５ａに沿って架着した状態では、上記水平扱き部３は、収容すべきペンキの最上面Ｈとペンキ容器５の上縁Ｕとの間の高さに位置する、ことを特徴とするペンキの扱き取り具１である。【０００７】  本考案のペンキの扱き取り具１は、合成樹脂材料により一体に成型され、上記架着部２は下向き溝状に形成され、その下向き溝状の空間２ａ内に前記ペンキ容器５の上縁部５ａを嵌め込んで架着したことを特徴とするものである。【０００８】  また、本考案の他の特徴は、上記延出部４が上記架着部２の両端部から延出した両腕状延出部４ａ・４ａで構成され、上記水平扱き部３が上記両腕状延出部４ａ・４ａの先端部間に形成されたことを特徴とするものである。【０００９】  また、本考案の他の特徴は、上記延出部４が上記架着部２の一端部から延出した片腕状延出部４で構成され、水平扱き部３が上記片腕状延出部４の先端部に形成されたことを特徴とするものである。【００１０】  さらに、本考案の他の特徴は、上記延出部４が上記架着部２から一体に延出した板状延出部４ａで構成され、上記水平扱き部３が上記板状延出部４ａの先端部に形成されたことを特徴とするものである。
【考案の効果】
【００１１】  本考案のペンキの扱き取り具１によれば、架着部２をペンキ容器５の上縁部５ａに沿って架着した状態では、上記水平扱き部３は、収容すべきペンキの最上面Ｈとペンキ容器５の上縁Ｕとの間の高さに位置することから、刷毛部分１１を水平扱き部３に撫で付けるようにして扱くと、刷毛部分１１に含まれている過剰なペンキＰはその水平扱き部３に残留することなく、直ちにペンキ容器５内に滴り落ちる。これにより、当該ペンキＰが刷毛部分１１に再吸着されることがなく、刷毛部分１１に付着するペンキの含み残量をワンタッチで適量に調節することができる。【００１２】  また、上記水平扱き部３は、収容すべきペンキの最上面Ｈとペンキ容器５の上縁Ｕとの間の高さに位置することから、過剰のペンキを刷毛部分１１から扱き取る際に、バケット６の上縁部６ａと塗料容器７の上縁部７ａとの隙間にペンキが侵入する恐れがなく、ひいては、バケット６から塗料容器７を離脱させるのに支障が無く、あらかじめペンキを入れた別の塗料容器７との差し替え交換が容易になる。【００１３】  また、本考案の付加構成では、上記架着部２が下向き溝状に形成され、その下向き溝状の空間２ａ内に前記ペンキ容器５の上縁部５ａを嵌め込んで架着したことから、本考案に係るペンキの扱き取り具１をペンキ容器５の上縁部５ａにワンタッチで装着できる。【００１４】  さらに、本考案の付加構成では、ペンキの扱き取り具１は合成樹脂材料により一体に成型されていることから、全体として簡素な構成で安価に実施することができる。
【考案を実施するための最良の形態】
【００１５】  以下、本考案の好ましい実施形態について添付図面を参照しながら詳細に説明する。なお、本考案の技術的範囲は、以下の説明において特に限定する旨の記載がない限り、これらの態様に限られるものではない。【００１６】  図２は本考案の好ましい実施形態に係るペンキの扱き取り具１（以下、単に「扱き取り具１」という）を平面視で略矩形のペンキ容器５の弧形状コーナー部の上縁部５ａに沿って装着した状態を示す要部の平面図、図１は図２中のＡ−Ａ線矢視縦断側面図で、ペンキ刷毛１０の刷毛部分１１が含む過剰のペンキＰを本考案の扱き取り具１で扱き取る状態を示す。ここで、図１中の矢印Ｂはペンキ刷毛１０の取手１２を持って扱く方向を示している。【００１７】  この実施形態では、ペンキ容器５は図１に示すように、バケット６内に合成樹脂製の塗料容器７を設置したものを示している。図中の符号６ａは上記バケット６の上縁部分を示し、符号７ａは上記バケット６の上縁部分６ａに着座する塗料容器７の上縁部分を示す。従ってこの実施形態では、ペンキ容器５の上縁部５ａはバケット６の上縁部分６ａと塗料容器７の上縁部分７ａを含んでいる。【００１８】  このペンキの扱き取り具１は、弾性変形可能な合成樹脂材により一体に成型され、上記ペンキ容器５の弧形状コーナー部の上縁部５ａに沿って着脱自在に架着される架着部２と、上記架着部２からペンキ容器５の内側下方に向けて延出された延出部４と、上記延出部４の先端に形成された水平扱き部３とから構成される。なお、上記架着部２は、ペンキ容器５の弧形状コーナー部の上縁部５ａに沿う形状で所定の長さに亘り架着される。これはコーナー部に架着することで、他のペンキ刷毛や塗布ローラ等の邪魔にならないように、かつ、当該扱き取り具１が脱落しないように意図したものである。【００１９】  上記架着部２は、図１に示すように、下向き溝状（縦断側面視では下向き略コ字状）に形成され、その下向き溝状の空間２ａ内に前記ペンキ容器５の上縁部５ａを嵌め込んで架着される。これにより、上記扱き取り具１をペンキ容器５の上縁部５ａに沿って着脱自在にワンタッチで装着できる。【００２０】  上記水平扱き部３は、上記架着部２の両端部からペンキ容器５の内側下方へ一体に延出させた両腕状延出部４・４の先端部間に形成されている。これにより、上記水平扱き部３は、ペンキ容器５の内側に位置し、かつ、収容すべきペンキの最上面Ｈとペンキ容器５の上縁Ｕとの間の高さに位置する。上記架着部２と両腕状延出部４・４と水平扱き部３は、前記のように合成樹脂材料により一体に成型される。これは扱き取り具１の成型加工が容易、かつ、簡素な構成で安価に実施できるように意図したものである。【００２１】  上記のように水平扱き部３をペンキ容器５の周壁の内側下方に位置させることにより、刷毛部分１１を水平扱き部３に撫で付けるようにして扱く際に、刷毛部分１１に含まれている過剰なペンキＰがその水平扱き部３に残留することなく、直ちにペンキ容器５内に滴り落ちる。これにより、当該ペンキＰが刷毛部分１１に再吸着されることがなく、刷毛部分１１に付着するペンキの含み残量をワンタッチで適量に調節することができる。【００２２】  また、上記水平扱き部材��を収容すべきペンキの最上面Ｈとペンキ容器５の上縁Ｕとの間の高さに位置させることにより、過剰のペンキを刷毛部分１１から扱き取る際に、バケット６の上縁部６ａと塗料容器７の上縁部７ａとの隙間にペンキが侵入する恐れがなくなり、ひいては、バケット６から塗料容器７を離脱させるのに支障が無くなる。つまり、異なる色のペンキを入れた別の塗料容器７と交換する際に支障が無くなる。【００２３】  図３は本考案の扱き取り具１のさらに別の変形例を示す図２相当図である。この実施形態では、水平扱き部３が前記架着部２の一端部からペンキ容器５の内側下方へ一体に延出させた片腕状延出部４の先端部に一体に形成されている。その他の点は図１及び図２の実施形態と同様に構成されている。【００２４】  図４は本考案の扱き取り具１の他の変形例を示す図２相当図、図５は図４中のＡ−Ａ線矢視縦断側面図である。この実施形態では、水平扱き部３が前記架着部２からペンキ容器５の内側下方へ一体に延出させた板状延出部４ａの先端部に形成されている。その他の点は図１及び図２の実施形態と同様に構成されている。【００２５】  上記の実施形態では、下向きに溝状の架着部材２を備えるものについて例示したが、ペンキ容器５の上縁部５ａに沿って所要の長さで確実に装着して固定でき、脱落しないものであれば適宜変更を加えて実施することができる。また、上記の実施形態では、合成樹脂材料で一体に形成されたものについて例示したが、これは加工が容易、かつ、コストが安価である点を考慮したもので、これに限らず鋼板材等で代替することもできる。
【図面の簡単な説明】
【００２６】
【図１】図２中のＡ−Ａ線矢視縦断側面図である。
【図２】本考案の好ましい実施形態に係る扱き取り具を平面視で略矩形のペンキ容器５の弧形状コーナー部の上縁部５ａに装着した状態を示す要部の平面図である。
【図３】本考案の扱き取り具の変形例を示す図２相当図である。
【図４】本考案の扱き取り具のさらに別の変形例を示す図２相当図である。
【図５】図４中のＡ−Ａ線矢視縦断側面図である。
【符号の説明】
【００２７】１…扱き取り具、２…架着部、２ａ…下向き溝状の空間、３…水平扱き部、４…延出部（腕状延出部）、４ａ…板状延出部、５…ペンキ容器、５ａ…ペンキ容器の上縁部、１０…ペンキ刷毛、１１…ペンキ刷毛の刷毛部分、Ｈ…収容すべきペンキの最上面、Ｕ…ペンキ容器の上縁。
【図１】
0003174827.tif 000003
【図２】
0003174827.tif 000004
【図３】
0003174827.tif 000005
【図４】
0003174827.tif 000006
【図５】
0003174827.tif 000007